(57)【要約】【課題】トリガ入力時よりも以前のデータを測定することができるとともに、過去にキャプチャされたデータをユーザに表示することができる測定装置を提供する。【解決手段】スペクトラムアナライザ１０は、波形データを記憶する記憶領域を有するメモリ部１１と、記憶領域を複数に分割してリングバッファ形式の記憶領域とするメモリ分割部３１と、トリガの入力を検出するトリガ入力検出部３２と、トリガの入力の検出が開始されてからトリガの入力が検出されるまで一の記憶領域において波形データのキャプチャを繰り返すキャプチャ部３３と、トリガの入力が検出されたことを条件に、トリガが検出されたトリガ検出時刻以前の所定時間内に入力したデータを示すプリトリガデータと、トリガ検出時刻以後の所定時間内に入力したデータを示すポストトリガデータと、を一の記憶領域に格納するデータ格納部３４と、を備える。【選択図】図１
2018028471.tif 000002
【特許請求の範囲】
【請求項１】
被測定装置（１）から出力される波形データを測定する測定装置（１０）であって、
前記波形データを記憶する記憶領域（５０）を有する波形データメモリ手段（１１）と、
前記記憶領域を複数に分割してリングバッファ形式の記憶領域（５１〜５３）とする記憶領域分割手段（３１）と、
前記波形データを一の前記記憶領域に格納するタイミングを示すトリガの入力を検出するトリガ入力検出手段（３２）と、
前記トリガ入力検出手段によって前記トリガの入力の検出が開始されてから前記トリガの入力が検出されるまで前記一の記憶領域において前記波形データのキャプチャを繰り返すキャプチャ手段（３３）と、
前記トリガ入力検出手段によって前記トリガの入力が検出されたことを条件に、前記トリガが検出されたトリガ検出時刻以前の所定時間内に入力したデータを示すプリトリガデータ（６１）と、前記トリガ検出時刻以後の所定時間内に入力したデータを示すポストトリガデータ（６２、６３）と、を前記一の記憶領域に格納するデータ格納手段（３４）と、
を備えたことを特徴とする測定装置。
【請求項２】
前記トリガ入力検出手段は、予め定められた順序で前記記憶領域ごとに前記トリガの入力を検出するものであって、
前記キャプチャ手段は、前記データ格納手段によって前記プリトリガデータ及び前記ポストトリガデータが前記一の記憶領域に格納されたことを契機として、前記一の記憶領域の前記順序に基づいた次の記憶領域において前記波形データのキャプチャの繰り返しを開始するものである、
ことを特徴とする請求項１に記載の測定装置。
【請求項３】
前記データ格納手段によって格納された前記プリトリガデータ及び前記ポストトリガデータを転送するデータ転送手段（３５）をさらに備えたことを特徴とする請求項１又は２に記載の測定装置。
【請求項４】
被測定装置（１）から出力される波形データを測定する測定装置（１０）を用いた測定方法であって、
前記測定装置は、前記波形データを記憶する記憶領域（５０）を有する波形データメモリ手段（１１）を備え、
前記記憶領域を複数に分割してリングバッファ形式の記憶領域（５１〜５３）とする記憶領域分割ステップ（Ｓ１１）と、
前記波形データを一の前記記憶領域に格納するタイミングを示すトリガの入力を検出するトリガ入力検出ステップ（Ｓ１６）と、
前記トリガ入力検出ステップにおいて前記トリガの入力の検出が開始されてから前記トリガの入力が検出されるまで前記一の記憶領域において前記波形データのキャプチャを繰り返すキャプチャステップ（Ｓ１５）と、
前記トリガ入力検出ステップにおいて前記トリガの入力が検出されたことを条件に、前記トリガが検出されたトリガ検出時刻以前の所定時間内に入力したデータを示すプリトリガデータと、前記トリガ検出時刻以後の所定時間内に入力したデータを示すポストトリガデータと、を前記一の記憶領域に格納するデータ格納ステップ（Ｓ１８）と、
を含むことを特徴とする測定方法。
【発明の詳細な説明】
【技術分野】
【０００１】
本発明は、例えば、被測定装置から出力される高周波信号を測定する測定装置及び測定方法に関する。
【背景技術】
【０００２】
従来、測定対象の高周波信号に含まれる周波数成分の分布を表示し、被測定信号を測定する測定器としてスペクトラムアナライザが知られている（例えば、特許文献１参照）。
【０００３】
特許文献１に記載のものは、波形データを格納するメモリを分割使用し、分割された記憶領域のブロックごとに各測定データを格納する構成を有する。
【０００４】
この構成により、特許文献１に記載のものは、それぞれのブロックに格納された測定データを過去のものから順次読み出して画面に表示することができるようになっている。
【先行技術文献】
【特許文献】
【０００５】
【特許文献１】特開平１０−２３２２５１号公報
【発明の概要】
【発明が解決しようとする課題】
【０００６】
しかしながら、特許文献１に記載のものは、トリガ入力について説明されてはいないが、スペクトラム表示の説明図を参照すれば、トリガ入力時よりも以後のデータを測定対象としていると考えられる。そのため、特許文献１に記載のものでは、トリガ入力時よりも以前のデータが測定できないという課題があった。
【０００７】
他方、従来の測定装置の中には、トリガ入力時よりも以前のデータをキャプチャ可能なものもあったが、この種の測定装置では、毎回、データのキャプチャが波形メモリの先頭アドレスから開始され、古いデータが上書きされる構成となっていた。そのため、従来のものでは、過去にキャプチャされたデータをユーザに表示することができないという課題があった。
【０００８】
本発明は、前述のような事情に鑑みてなされたものであり、トリガ入力時よりも以前のデータを測定することができるとともに、過去にキャプチャされたデータをユーザに表示することができる測定装置及び測定方法を提供することを目的とする。
【課題を解決するための手段】
【０００９】
本発明の請求項１に係る測定装置は、被測定装置（１）から出力される波形データを測定する測定装置（１０）であって、前記波形データを記憶する記憶領域（５０）を有する波形データメモリ手段（１１）と、前記記憶領域を複数に分割してリングバッファ形式の記憶領域（５１〜５３）とする記憶領域分割手段（３１）と、前記波形データを一の前記記憶領域に格納するタイミングを示すトリガの入力を検出するトリガ入力検出手段（３２）と、前記トリガ入力検出手段によって前記トリガの入力の検出が開始されてから前記トリガの入力が検出されるまで前記一の記憶領域において前記波形データのキャプチャを繰り返すキャプチャ手段（３３）と、前記トリガ入力検出手段によって前記トリガの入力が検出されたことを条件に、前記トリガが検出されたトリガ検出時刻以前の所定時間内に入力したデータを示すプリトリガデータ（６１）と、前記トリガ検出時刻以後の所定時間内に入力したデータを示すポストトリガデータ（６２、６３）と、を前記一の記憶領域に格納するデータ格納手段（３４）と、を備えた構成を有している。
【００１０】
この構成により、本発明の請求項１に係る測定装置は、トリガが検出されたトリガ検出時刻以前の所定時間内に入力したデータを示すプリトリガデータを格納するデータ格納手段を備えるので、トリガ入力時よりも以前のデータを測定することができる。
【００１１】
また、この構成により、本発明の請求項１に係る測定装置は、波形データを記憶する記憶領域を複数に分割してリングバッファ形式の記憶領域とする記憶領域分割手段を備えるので、リングバッファ形式の記憶領域に過去にキャプチャされたデータをユーザに表示することができる。
【００１２】
したがって、本発明の請求項１に係る測定装置は、トリガ入力時よりも以前のデータを測定することができるとともに、過去にキャプチャされたデータをユーザに表示することができる。
【００１３】
本発明の請求項２に係る測定装置は、前記トリガ入力検出手段は、予め定められた順序で前記記憶領域ごとに前記トリガの入力を検出するものであって、前記キャプチャ手段は、前記データ格納手段によって前記プリトリガデータ及び前記ポストトリガデータが前記一の記憶領域に格納されたことを契機として、前記一の記憶領域の前記順序に基づいた次の記憶領域において前記波形データのキャプチャの繰り返しを開始するものである、構成を有している。
【００１４】
この構成により、本発明の請求項２に係る測定装置は、プリトリガデータ及びポストトリガデータが一の記憶領域に格納されると、次の記憶領域において波形データのキャプチャの繰り返しを開始できるので、次トリガを取り逃がすことがない。
【００１５】
本発明の請求項３に係る測定装置は、前記データ格納手段によって格納された前記プリトリガデータ及び前記ポストトリガデータを転送するデータ転送手段（３５）をさらに備えた構成を有している。
【００１６】
この構成により、本発明の請求項３に係る測定装置は、データ格納手段によって格納されたプリトリガデータ及びポストトリガデータを所定の宛先に転送することができる。
【００１７】
本発明の請求項４に係る測定方法は、被測定装置（１）から出力される波形データを測定する測定装置（１０）を用いた測定方法であって、前記測定装置は、前記波形データを記憶する記憶領域（５０）を有する波形データメモリ手段（１１）を備え、前記記憶領域を複数に分割してリングバッファ形式の記憶領域（５１〜５３）とする記憶領域分割ステップ（Ｓ１１）と、前記波形データを一の前記記憶領域に格納するタイミングを示すトリガの入力を検出するトリガ入力検出ステップ（Ｓ１６）と、前記トリガ入力検出ステップにおいて前記トリガの入力の検出が開始されてから前記トリガの入力が検出されるまで前記一の記憶領域において前記波形データのキャプチャを繰り返すキャプチャステップ（Ｓ１５）と、前記トリガ入力検出ステップにおいて前記トリガの入力が検出されたことを条件に、前記トリガが検出されたトリガ検出時刻以前の所定時間内に入力したデータを示すプリトリガデータと、前記トリガ検出時刻以後の所定時間内に入力したデータを示すポストトリガデータと、を前記一の記憶領域に格納するデータ格納ステップ（Ｓ１８）と、を含む構成を有している。
【００１８】
この構成により、本発明の請求項４に係る測定方法は、トリガが検出されたトリガ検出時刻以前の所定時間内に入力したデータを示すプリトリガデータを格納するデータ格納ステップを含むので、トリガ入力時よりも以前のデータを測定することができる。
【００１９】
また、この構成により、本発明の請求項４に係る測定方法は、波形データを記憶する記憶領域を複数に分割してリングバッファ形式の記憶領域とする記憶領域分割ステップを含むので、リングバッファ形式の記憶領域に過去にキャプチャされたデータをユーザに表示することができる。
【００２０】
したがって、本発明の請求項４に係る測定方法は、トリガ入力時よりも以前のデータを測定することができるとともに、過去にキャプチャされたデータをユーザに表示することができる。
【発明の効果】
【００２１】
本発明は、トリガ入力時よりも以前のデータを測定することができるとともに、過去にキャプチャされたデータをユーザに表示することができるという効果を有する測定装置及び測定方法を提供することができるものである。
【図面の簡単な説明】
【００２２】
【図１】本発明に係る測定装置の一実施形態におけるブロック構成図である。
【図２】本発明に係る測定装置の一実施形態におけるメモリ部の記憶領域を３つの局所的リングバッファメモリに分割した例を示す図である。
【図３】本発明に係る測定装置の一実施形態における局所的リングバッファメモリの記憶領域の構成例を示す図である。
【図４】本発明に係る測定装置の一実施形態における局所的リングバッファメモリの全体動作を示す図である。
【図５】本発明に係る測定装置の一実施形態におけるデータ転送部の機能についての説明図である。
【図６】本発明に係る測定装置の一実施形態におけるフローチャートである。
【発明を実施するための形態】
【００２３】
以下、本発明の実施形態について図面を用いて説明する。
【００２４】
まず、本発明に係る測定装置の一実施形態における構成について説明する。なお、本発明に係る測定装置をスペクトラムアナライザに適用した例を挙げて説明する。
【００２５】
図１に示すように、本実施形態におけるスペクトラムアナライザ１０は、被測定装置（以下「ＤＵＴ」という）１の出力信号をキャプチャ（捕捉）して測定するものである。このＤＵＴ１は、例えば、無線周波数の信号を送信する送信装置である。
【００２６】
スペクトラムアナライザ１０は、ＲＦ部２０、メモリ部１１、メモリ制御部３０、制御部４０、表示部１２、操作部１３、制御装置１４を備えている。スペクトラムアナライザ１０は、ＣＰＵ、ＲＯＭ、ＲＡＭ、各種インタフェースが接続される入出力回路等を備えたマイクロコンピュータを含む。スペクトラムアナライザ１０は、ＲＯＭに予め格納された制御プログラムを実行させることにより、マイクロコンピュータをスペクトラムアナライザ１０の各機能部として機能させるようになっている。なお、スペクトラムアナライザ１０は、測定装置の一例である。
【００２７】
ＲＦ部２０は、ＡＴＴ（アッテネータ）２１、局部発振器２２、ミキサ２３、ＢＰＦ（バンドパスフィルタ）２４、ＡＤＣ（アナログデジタルコンバータ）２５を備え、無線周波数の信号（以下「ＲＦ信号」という）をベースバンド周波数の信号に周波数変換するものである。
【００２８】
ＡＴＴ２１は、ＤＵＴ１から入力したＲＦ信号を所定のレベルに減衰し、ミキサ２３に出力するようになっている。
【００２９】
局部発振器２２は、所定周波数の局部発振信号を生成してミキサ２３に出力するようになっている。
【００３０】
ミキサ２３は、ＡＴＴ２１が出力するＲＦ信号と局部発振器２２が出力する局部発振信号とを混合してベースバンド周波数の信号に周波数変換し、ＢＰＦ２４に出力するようになっている。
【００３１】
ＢＰＦ２４は、入力信号のフィルタリングを行って、所定周波数領域の信号を取り出してＡＤＣ２５に出力するようになっている。
【００３２】
ＡＤＣ２５は、ＢＰＦ２４の出力信号をアナログ値からデジタル値に変換し、メモリ部１１に出力するようになっている。
【００３３】
メモリ部１１は、ＲＦ部２０の出力信号の波形データを記憶する記憶領域を有し、メモリ制御部３０の制御に従って動作するようになっている。このメモリ部１１は、波形データメモリ手段の一例である。
【００３４】
メモリ制御部３０は、メモリ分割部３１、トリガ入力検出部３２、キャプチャ部３３、データ格納部３４、データ転送部３５を備え、メモリ部１１を制御するものである。
【００３５】
メモリ分割部３１は、メモリ部１１の記憶領域を複数に分割してリングバッファ形式の記憶領域とするものである。このメモリ分割部３１は、記憶領域分割手段の一例である。
【００３６】
例えば、メモリ分割部３１は、各記憶領域におけるキャプチャ時間をＴ（秒）、メモリ部１１の容量をＭ（バイト）、ＡＤＣ２５のデータビット幅をＤ（ビット）、ＡＤＣ２５のサンプリングレートをＳ（Ｈｚ）で表した場合に、［数１］に基づいて分割数Ｎを求めてメモリ部１１の記憶領域を複数に分割する。ここで、例えば、キャプチャ時間のデータは、操作部１３を介してユーザにより入力され、その他のデータはメモリ分割部３１に予め記憶されている。
【００３７】
［数１］
Ｎ＝Ｍ／（Ｔ・Ｓ・Ｄ／８）
【００３８】
トリガ入力検出部３２は、例えば、ＡＤＣ２５の出力レベルが予め定められたレベルを超えたことを契機として、波形データをメモリ部１１の一の記憶領域に格納するタイミングを示すトリガの入力を検出するようになっている。このトリガ入力検出部３２は、トリガ入力検出手段の一例である。
【００３９】
キャプチャ部３３は、トリガ入力検出部３２によってトリガの入力の検出が開始されてからトリガの入力が検出されるまで一の記憶領域において波形データのキャプチャを繰り返すようになっている。このキャプチャ部３３は、キャプチャ手段の一例である。
【００４０】
データ格納部３４は、トリガ入力検出部３２によってトリガの入力が検出されたことを条件に、トリガが検出されたトリガ検出時刻以前の所定時間内にメモリ部１１が入力したデータを示すプリトリガデータと、トリガ検出時刻以後の所定時間内にメモリ部１１が入力したデータを示すポストトリガデータと、をメモリ部１１の一の記憶領域に格納するようになっている。このデータ格納部３４は、データ格納手段の一例である。
【００４１】
なお、プリトリガデータが入力される所定時間は、操作部１３を介してユーザによりプリトリガ時間（プリトリガ時刻からトリガ時刻までの時間）として設定される時間である。また、ポストトリガデータ入力される所定時間は、操作部１３を介してユーザにより設定されるキャプチャ時間からプリトリガ時間を減算した時間である。
【００４２】
データ転送部３５は、データ格納部３４によって格納されたプリトリガデータ及びポストトリガデータを制御部４０に転送するようになっている。このデータ転送部３５は、データ転送手段の一例である。
【００４３】
制御部４０は、測定部４１及び表示制御部４２を備えている。
【００４４】
測定部４１は、メモリ部１１が記憶した波形データに対し、所定の測定を行うようになっている。例えば、測定部４１は、送信電力、変調精度（Error Vector Magnitude、ＥＶＭ）、隣接チャネル漏洩電力比（Adjacent Channel Leakage Ratio、ＡＣＬＲ）、位相誤差（Phase Error）、振幅誤差（Magnitude Error）等を求めることができる。
【００４５】
表示制御部４２は、表示部１２に表示する情報の表示制御を行うようになっている。例えば、表示制御部４２は、測定部４１が測定した測定結果を表示部１２に表示する表示制御を行うことができる。また、例えば、表示制御部４２は、ユーザによる操作部１３の操作に基づいて、メモリ部１１に記憶されたデータのうちユーザが所望するデータを表示部１２に表示する表示制御を行うことができる。
【００４６】
表示部１２は、表示制御部４２の表示制御に基づいて所定の情報を表示するようになっている。
【００４７】
操作部１３は、被測定信号を測定する測定項目や測定条件、判定条件等を設定するためユーザが操作するものである。例えば、操作部１３は、各種条件を設定するための設定画面を表示するディスプレイや、キーボード、ダイヤル又はマウスのような入力デバイス、これらを制御する制御回路やソフトウェア等で構成され、各測定項目や測定条件の入力や、表示部１２の表示内容を設定するものである。測定条件としては、例えば、プリトリガ時間、キャプチャ時間、トリガ条件等が設定される。
【００４８】
制御装置１４は、操作部１３によって入力された各種情報をＲＦ部２０、メモリ制御部３０、制御部４０に設定するようになっている。
【００４９】
次に、メモリ制御部３０の各機能について図２〜図５を用いて説明する。なお、各図において、スタートアドレスを「ＳｔａｒｔＡ」、プリトリガアドレスを「ＰｒｅＴｒｉｇＡ」、トリガアドレスを「ＴｒｉｇＡ」で表す。
【００５０】
メモリ分割部３１は、例えば図２に示すように、メモリ部１１の記憶領域５０を３つに分割し、リングバッファ形式の記憶領域（以下「局所的リングバッファメモリ」という）５１〜５３を得る。例えば、局所的リングバッファメモリ５１の記憶領域は、スタートアドレスＡ〜Ａ＋Ｘで表される。ここで、Ｘは、予め定められたプリトリガ時間と予め定められたキャプチャ時間との和に相当するアドレスの数を示す。スタートアドレスＡ及びスタートアドレスＡ＋Ｘの値は、メモリ分割部３１によって記憶される。
【００５１】
局所的リングバッファメモリ５１の記憶領域は、図３に示すように構成される。すなわち、局所的リングバッファメモリ５１は、プリトリガ時間で定まる記憶領域５１ａと、キャプチャ時間で定まる記憶領域５１ｂ及び５１ｃと、を含む。局所的リングバッファメモリ５２、５３も同様に構成される。
【００５２】
キャプチャ部３３は、スタートアドレスＡからスタートアドレスＡ＋Ｘに向かって記憶領域５１ｃ、５１ａ、５１ｂの順序で、トリガ入力検出部３２によってトリガの入力の検出が開始されてからトリガの入力が検出されるまで、波形データのキャプチャを繰り返す（波形データを取り込み続ける）。
【００５３】
データ格納部３４は、トリガ入力検出部３２によってトリガの入力が検出されると、プリトリガデータを記憶領域５１ａに、ポストトリガデータを記憶領域５１ｂ及び５１ｃに順次格納し、局所的リングバッファメモリ５１におけるキャプチャが完了する。トリガアドレスの値は、メモリ分割部３１によって記憶される。
【００５４】
図４は、局所的リングバッファメモリ５１〜５３の全体動作を示す図である。
【００５５】
図４（ａ）に示すように、キャプチャ部３３は、１番目の局所的リングバッファメモリ５１においてデータをキャプチャし続ける。
【００５６】
局所的リングバッファメモリ５１において、トリガ入力検出部３２によってトリガ入力が検出されると、図４（ｂ）に示すように、メモリ分割部３１によってトリガアドレスの値が記憶されて、局所的リングバッファメモリ５１におけるキャプチャが完了する。続いて、キャプチャ部３３は、次トリガを取り逃がさないために、２番目の局所的リングバッファメモリ５２においてデータをキャプチャし続ける。
【００５７】
局所的リングバッファメモリ５２において、トリガ入力検出部３２によってトリガ入力が検出されると、図４（ｃ）に示すように、メモリ分割部３１によってトリガアドレスの値が記憶されて、局所的リングバッファメモリ５２におけるキャプチャが完了する。続いて、キャプチャ部３３は、次トリガを取り逃がさないために、３番目の局所的リングバッファメモリ５３においてデータをキャプチャし続ける。
【００５８】
以上のように、スペクトラムアナライザ１０は、プリトリガデータ及びポストトリガデータが一の局所的リングバッファメモリに格納されると、次の局所的リングバッファメモリにおいて波形データのキャプチャを開始できるので、次トリガを取り逃がすことがない。
【００５９】
次に、データ転送部３５の機能について図５を用いて説明する。図５は、被測定データのキャプチャが完了した状態のメモリ部１１の記憶状態を示した図であって、メモリ部１１の記憶領域５０に記憶された各データを示している。
【００６０】
局所的リングバッファメモリ５１には、プリトリガアドレスからトリガアドレスまでの領域に記憶されたプリトリガデータ６１と、トリガアドレス以降に記憶されたポストトリガデータ６２及び６３と、が記憶されている。
【００６１】
同様に、局所的リングバッファメモリ５２には、プリトリガデータ６４、ポストトリガデータ６５及び６６が記憶されている。また、局所的リングバッファメモリ５３には、プリトリガデータ６７、ポストトリガデータ６８及び６９が記憶されている。
【００６２】
データ転送部３５は、プリトリガデータ６１及びポストトリガデータ６２を順次読み出して制御部４０に転送する。次いで、データ転送部３５は、ポストトリガデータ６３を読み出して制御部４０に転送する。
【００６３】
同様に、データ転送部３５は、プリトリガデータ６４及びポストトリガデータ６５を順次読み出して制御部４０に転送する。次いで、データ転送部３５は、ポストトリガデータ６６を読み出して制御部４０に転送する。
【００６４】
さらに、データ転送部３５は、プリトリガデータ６７及びポストトリガデータ６８を順次読み出して制御部４０に転送する。次いで、データ転送部３５は、ポストトリガデータ６９を読み出して制御部４０に転送する。
【００６５】
なお、局所的リングバッファメモリ５１〜５３に記憶された各データのうち任意のデータは、ユーザによる操作部１３の操作を介して、表示制御部４２の制御により表示部１２に表示することもできる。すなわち、スペクトラムアナライザ１０は、過去にキャプチャされたデータをユーザに表示することができる。
【００６６】
次に、本実施形態におけるスペクトラムアナライザ１０の動作について図６を用いて説明する。なお、スペクトラムアナライザ１０の特徴部分であるメモリ部１１及びメモリ制御部３０に関する動作を中心に説明する。
【００６７】
メモリ分割部３１は、例えば、操作部１３によりユーザが設定したキャプチャ時間に基づいて、前述の［数１］により分割数ｎを求め、メモリ部１１の記憶領域を複数ｎ個に分割してリングバッファ形式の局所的リングバッファメモリとする（ステップＳ１１）。
【００６８】
メモリ分割部３１は、メモリ部１１の記憶領域を例えば３個（ｎ＝３）に分割した場合（図２参照）には、スタートアドレスＡ、スタートアドレスＡ＋Ｘ、スタートアドレスＡ＋２Ｘ、スタートアドレスＡ＋３Ｘの各値を記憶する（ステップＳ１２）。
【００６９】
メモリ制御部３０は、局所的リングバッファメモリのｉ番目を示す変数ｉを初期化する（ステップＳ１３）。
【００７０】
メモリ制御部３０は、変数ｉをインクリメントする（ステップＳ１４）。
【００７１】
トリガ入力検出部３２は、トリガの入力の検出を開始し、キャプチャ部３３は、ｉ番目の局所的リングバッファメモリにおいてデータをキャプチャし続ける（ステップＳ１５）。なお、本実施形態では、１番目は局所的リングバッファメモリ５１、２番目は局所的リングバッファメモリ５２、３番目は局所的リングバッファメモリ５３である。
【００７２】
トリガ入力検出部３２は、トリガ入力があったか否かを判断する（ステップＳ１６）。
【００７３】
ステップＳ１６において、トリガ入力があったと判断されなかった場合には、ステップＳ１５の処理に戻る。
【００７４】
一方、ステップＳ１６において、トリガ入力があったと判断された場合には、メモリ分割部３１は、トリガ入力時のデータがキャプチャされるトリガアドレスを記憶する（ステップＳ１７）。
【００７５】
データ格納部３４は、所定量（キャプチャ時間で定まるデータ量）のプリトリガデータ及びポストトリガデータをｉ番目の局所的リングバッファメモリに格納する（ステップＳ１８）。
【００７６】
メモリ制御部３０は、変数ｉ＝ｎか否かを判断する（ステップＳ１９）。
【００７７】
ステップＳ１９において、変数ｉ＝ｎと判断されなかった場合には、ステップＳ１４に処理を戻す。
【００７８】
一方、ステップＳ１９において、変数ｉ＝ｎと判断された場合、すなわち、局所的リングバッファメモリ５１〜５３の全キャプチャが完了した場合には、メモリ制御部３０は、変数ｉを初期化する（ステップＳ２０）。
【００７９】
メモリ制御部３０は、変数ｉをインクリメントする（ステップＳ２１）。
【００８０】
データ転送部３５は、データ格納部３４によってｉ番目の局所的リングバッファメモリに格納されたプリトリガデータ及びポストトリガデータを所定の宛先に転送する（ステップＳ２２）。
【００８１】
メモリ制御部３０は、変数ｉ＝ｎか否かを判断する（ステップＳ２３）。
【００８２】
ステップＳ２３において、変数ｉ＝ｎと判断されなかった場合には、ステップＳ２１に処理を戻す。
【００８３】
一方、ステップＳ２３において、変数ｉ＝ｎと判断された場合には、処理を終了する。
【００８４】
以上のように、本実施形態におけるスペクトラムアナライザ１０は、トリガが検出されたトリガ検出時刻以前の所定時間内に入力したデータを示すプリトリガデータを格納するデータ格納部３４を備えるので、トリガ入力時よりも以前のデータを測定することができる。
【００８５】
また、本実施形態におけるスペクトラムアナライザ１０は、波形データを記憶する記憶領域を複数に分割してリングバッファ形式の記憶領域とするメモリ分割部３１を備えるので、リングバッファ形式の記憶領域に過去にキャプチャされたデータをユーザに表示することができる。
【００８６】
したがって、本実施形態におけるスペクトラムアナライザ１０は、トリガ入力時よりも以前のデータを測定することができるとともに、過去にキャプチャされたデータをユーザに表示することができる。
【産業上の利用可能性】
【００８７】
以上のように、本発明に係る測定装置及び測定方法は、トリガ入力時よりも以前のデータを測定することができるとともに、過去にキャプチャされたデータをユーザに表示することができるという効果を有し、被測定装置から出力される高周波信号を測定する測定装置及び測定方法として有用である。
【符号の説明】
【００８８】
１  ＤＵＴ（被測定装置）
１０  スペクトラムアナライザ（測定装置）
１１  メモリ部（波形データメモリ手段）
３０  メモリ制御部
３１  メモリ分割部（記憶領域分割手段）
３２  トリガ入力検出部（トリガ入力検出手段）
３３  キャプチャ部（キャプチャ手段）
３４  データ格納部（データ格納手段）
３５  データ転送部（データ転送手段）
５０  記憶領域
５１〜５３  局所的リングバッファメモリ（リングバッファ形式の記憶領域）
５１ａ、５１ｂ、５１ｃ  記憶領域
６１、６４、６７  プリトリガデータ
６２、６３、６５、６６、６８、６９  ポストトリガデータ
【図１】
2018028471.tif 000003
【図２】
2018028471.tif 000004
【図３】
2018028471.tif 000005
【図４】
2018028471.tif 000006
【図５】
2018028471.tif 000007
【図６】
2018028471.tif 000008